(57)【要約】 【課題】  通信端末装置で取得しているコンテンツ情報を、簡便な操作で情報記録装置で記録することができる情報記録装置、および通信端末装置を提供する。【解決手段】  通信端末装置２０では、端末コンテンツ情報取得部２４によって取得されるコンテンツ情報と同一のコンテンツ情報を情報記録装置に記録させる記録指令を、端末通信部２１を介して、情報記録装置１に送るように、端末制御部２５によって制御するので、情報記録装置１のシステム制御部１２は、前記通信端末装置２０によって規定される記録指令を、通信部２によって受信すると、受信した記録指令を記録再生部４に送ることによって、記録再生部４が記録指令に基づくコンテンツ情報を記録する。【選択図】      図１
2006287627.tif 000002
【特許請求の範囲】
【請求項１】
外部の情報記録装置との間で通信可能な通信手段を備えた端末装置であって、
外部から提供されるコンテンツ情報を取得するコンテンツ情報取得手段と、
外部の情報記録装置の記録指令および停止指令を操作する操作手段と、
コンテンツ情報取得手段によって取得したコンテンツ情報と同一の情報を外部の情報記録装置に記録させる記録指令を通信手段を介して送信する制御手段とを含むことをを特徴とする端末装置。
【請求項２】
通信手段は、複数の情報記録装置との間で通信が可能であり、
前記複数の情報記録装置のうち、コンテンツ情報を記録させる情報記録装置を選択する選択手段をさらに含むことを特徴とする請求項１に記載の端末装置。
【請求項３】
制御手段は、情報記録装置の記録動作を停止させる停止指令を、通信手段を介して、該情報記録装置に送ることを特徴とする請求項１または２に記載の端末装置。
【請求項４】
前記停止指令は、予め設定される記録停止時刻に記録を停止させる指令であることを特徴とする請求項３に記載の端末装置。
【請求項５】
請求項１〜４に記載の端末装置との間で通信する情報記録装置であって、
端末装置との間で通信する通信手段と、
外部から提供されるコンテンツ情報を取得するコンテンツ情報取得手段と、
前記コンテンツ情報取得手段によって取得されるコンテンツ情報を記録する記録手段と、
前記端末装置からコンテンツ情報を記録させる記録指令を受信すると、記録指令に基づくコンテンツ情報を記録するように記録手段を制御する制御手段とを含むことを特徴とする情報記録装置。
【請求項６】
コンテンツ情報の番組表を取得する番組表取得手段をさらに含み、
制御手段は、番組表取得手段で取得される番組表に基づいて、コンテンツ情報を提供終了時刻まで記録するように、記録手段を制御することを特徴とする請求項５に記載の情報記録装置。
【請求項７】
記録手段の記録を許容できる記録許容時間を検出する記録許容時間検出手段をさらに含み、
制御手段は、通信手段によって記録指令を受信すると、前記記録許容時間および記録指令に基づくコンテンツ情報の提供終了時刻までの番組記録に必要な記録時間に基づいて、記録手段の記録モードを変更することを特徴とする請求項６に記載の情報記録装置。
【請求項８】
制御手段は、通信手段によって記録指令を受信すると、前記記録許容時間および前記記録時間に基づいて、記録手段に記録される他のコンテンツ情報を削除することを特徴とする請求項７に記載の情報記録装置。
【請求項９】
制御手段は、通信手段によって記録指令を受信すると、前記記録許容時間と前記記録時間とに基づいて記録許容時間内にコンテンツ情報を記録することができるか否かを示す情報を端末装置に送信することを特徴とする請求項７または８に記載の情報記録装置。
【請求項１０】
通信手段は、複数の情報記録装置と通信可能であり、
制御手段は、通信手段を介して端末装置から記録指令を受信すると、前記記録許容時間および前記記録時間とに基づいて、記録許容時間内にコンテンツ情報を記録することができるか否かを判断し、記録することができない場合、前記記録指令を他の情報記録装置に送信するように、通信手段を制御することを特徴とする請求項７〜９のいずれか１つに記載の情報記録装置。
【請求項１１】
制御手段は、前記記録指令を、予め設定される優先順位に基づいて選択される他の情報記録装置に送信するように、通信手段を制御することを特徴とする請求項１０に記載の情報記録装置。
【請求項１２】
通信手段は、複数の通信端末装置と通信可能であり、
制御手段は、通信手段を介して端末装置からの記録指令を受信すると、前記記録許容時間および前記記録時間とに基づいて、記録許容時間内にコンテンツ情報を記録することができるか否かを判断し、記録することができない場合、前記記録指令を他の通信端末装置に送信するように、通信手段を制御することを特徴とする請求項７〜１１のいずれか１つに記載の情報記録装置。
【請求項１３】
制御手段は、通信手段によって記録指令を受信すると、記録指令に基づくコンテンツ情報を記録するか否かを確認する記録確認情報を通信端末装置に送信するように、通信手段を制御することを特徴とする請求項５〜１２のいずれか１つに記載の情報記録装置。
【請求項１４】
前記記録確認情報は、記録指令に基づくコンテンツ情報を含むこと特徴とする請求項１３に記載の情報記録装置。
【請求項１５】
前記記録確認情報に含まれるコンテンツ情報は、ダイジェスト情報であることを特徴とする請求項１４に記載の情報記録装置。
【発明の詳細な説明】
【技術分野】
【０００１】
本発明は、コンテンツ情報を記録する情報記録装置、および情報記録装置を遠隔操作する通信端末装置に関する。
【背景技術】
【０００２】
情報記録装置の遠隔操作を好適に実施する技術が種々実用に供されている。第１の従来技術であるビデオテープレコーダ（略称ＶＴＲ）の遠隔録画装置は、操作者が遠隔地から電話網を介して、ＶＴＲのリモコンを動作させて、所望のテレビ番組を録画するように構成される（たとえば特許文献１参照）。
【０００３】
第２の従来技術である録画状況確認装置は、操作者が所有する携帯端末に、録画開始時の画像などを送信して、録画の状況を遠隔地にいる操作者に報知するように構成される。これによって、操作者は録画状況を遠隔地であっても確認することができる（たとえば特許文献２参照）。
【０００４】
第３の従来技術である放送受信装置は、自動車が自宅に到着すると、車内で受信していた番組に関する情報を、自宅内のＶＴＲに送信し、その情報を受信したＶＴＲは車内で受信していた番組を録画するように各部を制御する。これによって操作者は、車内で視聴していた番組を、自動車から自宅内で移動する間、録画することができ、車内の番組の続きを再生して自宅内で視聴することができる（たとえば特許文献３参照）。
【０００５】
第４の従来技術である通信システムは、家屋内に設けられる情報機器と、車両に搭載される情報機器との間で、ネットワークを介してデータを共有することができるように構成される。これによって操作者は、簡便に情報を各情報機器間でやりとりすることができる（たとえば特許文献４参照）。
【０００６】
【特許文献１】特開平８−１８０５０５号公報
【特許文献２】特開２００２−３７４４８４号公報
【特許文献３】特開２００２−２９０３５０号公報
【特許文献４】特開平１０−２３０７３号公報
【発明の開示】
【発明が解決しようとする課題】
【０００７】
前述の第１および第２の従来技術では、情報記録装置を遠隔操作して、番組を録画し、またその録画の状況を通信端末装置にて確認することができるが、予め録画の予約を行う必要があり、現在視聴中の番組を直ちに録画することができないという問題がある。
【０００８】
また前述の第３の従来技術では、車内で視聴中の番組の続きを自宅内で録画しているが、自動車が自宅内に到着する場合のみを考慮しており、他の場所、たとえばレストランなどの商業施設に到着したときは、自宅内で録画することができず、また商業施設で録画することはできないので、不便である。
【０００９】
また前述の第４の従来技術では、家屋内と車内とで、データを容易に共有することができるが、車内の情報機器で家屋内の情報機器を遠隔操作することができず、不便である。
。
【００１０】
したがって本発明の目的は、通信端末装置で取得しているコンテンツ情報を、簡便な操作で情報記録装置で記録することができる情報記録装置、および通信端末装置を提供することである。
【課題を解決するための手段】
【００１１】
本発明は、外部の情報記録装置との間で通信可能な通信手段を備えた端末装置であって、
外部から提供されるコンテンツ情報を取得するコンテンツ情報取得手段と、
外部の情報記録装置の記録指令および停止指令を操作する操作手段と、
コンテンツ情報取得手段によって取得したコンテンツ情報と同一の情報を外部の情報記録装置に記録させる記録指令を通信手段を介して送信する制御手段とを含むことをを特徴とする端末装置である。
【００１２】
本発明に従えば、操作者は操作手段を操作することによって、コンテンツ情報取得手段によって取得されるコンテンツ情報と同一のコンテンツ情報を情報記録装置に記録させる記録指令を、通信手段を介して、該情報記録装置に送るように、制御手段によって制御する。したがって操作者は、現在取得しているコンテンツ情報と同一のコンテンツ情報を、遠隔地にある情報記録装置に記録させることができる。
【００１３】
また本発明は、通信手段は、複数の情報記録装置との間で通信が可能であり、
前記複数の情報記録装置のうち、コンテンツ情報を記録させる情報記録装置を選択する選択手段をさらに含むことを特徴とする。
【００１４】
本発明に従えば、選択手段によって、複数の情報記録装置のうち前記コンテンツ情報を記録させるべき情報記録装置を選択することができる。したがって操作者は、所望の情報記録装置に、コンテンツ情報を記録させることができる。
【００１５】
さらに本発明は、制御手段は、情報記録装置の記録動作を停止させる停止指令を、通信手段を介して、該情報記録装置に送ることを特徴とする。
【００１６】
本発明に従えば、制御手段は、情報記録装置の記録動作を停止させる停止指令を、通信手段を介して、該情報記録装置に送るので、操作者は、通信端末装置を用いて遠隔地にある情報記録装置の記録状態を停止することができる。
【００１７】
さらに本発明は、前記停止指令は、予め設定される記録停止時刻に記録を停止させる指令であることを特徴とする。
【００１８】
本発明に従えば、前記停止指令は、予め設定される記録停止時刻に記録を停止させる指令である。したがって操作者は、予め記録停止時刻を、たとえばコンテンツ情報の提供終了時刻に設定することによって、コンテンツ情報が終了すると記録を停止させることができる。
【００１９】
さらに本発明は、前記端末装置との間で通信する情報記録装置であって、
端末装置との間で通信する通信手段と、
外部から提供されるコンテンツ情報を取得するコンテンツ情報取得手段と、
前記コンテンツ情報取得手段によって取得されるコンテンツ情報を記録する記録手段と、
前記端末装置からコンテンツ情報を記録させる記録指令を受信すると、記録指令に基づくコンテンツ情報を記録するように記録手段を制御する制御手段とを含むことを特徴とする情報記録装置である。
【００２０】
本発明に従えば、前記端末装置からの記録指令に基づいて、記録手段が記録指令に基づくコンテンツ情報を記録することができる。
【００２１】
さらに本発明は、コンテンツ情報の番組表を取得する番組表取得手段をさらに含み、
制御手段は、番組表取得手段で取得される番組表に基づいて、コンテンツ情報を提供終了時刻まで記録するように、記録手段を制御することを特徴とする。
【００２２】
本発明に従えば、制御手段は、番組表取得手段で取得される番組表に基づいて、コンテンツ情報を提供終了時刻まで記録するように、記録手段を制御する。したがって記録手段は、記録指令によって指定されたコンテンツ情報を、いわば自動的に提供終了時刻まで記録することができる。
【００２３】
さらに本発明は、記録手段の記録を許容できる記録許容時間を検出する記録許容時間検出手段をさらに含み、
制御手段は、通信手段によって記録指令を受信すると、前記記録許容時間および記録指令に基づくコンテンツ情報の提供終了時刻までの番組記録に必要な記録時間に基づいて、記録手段の記録モードを変更することを特徴とする。
【００２４】
本発明に従えば、制御手段は、通信手段によって記録指令を受信すると、記録許容時間、および記録指令に基づくコンテンツ情報の提供終了時刻までの記録時間に基づいて、記録モードを変更する。したがって記録手段は、記録モードを選択することによって、コンテンツ情報を提供終了時刻まで可及的に記録することができる。
【００２５】
さらに本発明は、制御手段は、通信手段によって記録指令を受信すると、前記記録許容時間および前記記録時間に基づいて、記録手段に記録される他のコンテンツ情報を削除する機能を有することを特徴とする。
【００２６】
本発明に従えば、制御手段は、通信手段によって記録指令を受信すると、前記記録許容時間および前記記録時間に基づいて、記録手段に記録される他のコンテンツ情報を削除する機能を有する。これによって記録許容時間が少いことによって、コンテンツ情報を記録途中に、記録容量不足によって記録が停止される場合であっても、他のコンテンツ情報を削除することによって、記録に必要な記録容量を確保することができる。
【００２７】
さらに本発明は、制御手段は、通信手段によって記録指令を受信すると、前記記録許容時間と前記記録時間とに基づいて記録許容時間内にコンテンツ情報を記録することができるか否かを示す情報を端末装置に送信することを特徴とする。
【００２８】
本発明に従えば、制御手段は、通信手段によって記録指令を受信すると、前記記録許容時間と前記記録時間とに基づいて、コンテンツ情報の記録の可否を示す情報を端末装置に送信する。したがって操作者は、報知される情報に基づいて、情報記録装置の記録手段の状態を把握することができる。
【００２９】
さらに本発明は、通信手段は、複数の情報記録装置と通信可能であり、
制御手段は、通信手段を介して端末装置から記録指令を受信すると、前記記録許容時間および前記記録時間とに基づいて、記録許容時間内にコンテンツ情報を記録することができるか否かを判断し、記録することができない場合、前記記録指令を他の情報記録装置に送信するように、通信手段を制御することを特徴とする。
【００３０】
本発明に従えば、制御手段は、通信手段によって記録指令を受信すると、前記記録許容時間および前記記録時間とに基づいて、コンテンツ情報の記録の可否を判断し、記録することができない場合、前記記録指令を他の情報記録装置に送信する。これによって記録指令が送られる他の情報記録装置によって、コンテンツ情報を記録することができる。
【００３１】
さらに本発明は、制御手段は、前記記録指令を、予め設定される優先順位に基づいて選択される他の情報記録装置に送信するように、通信手段を制御することを特徴とする。
【００３２】
本発明に従えば、制御手段は、前記記録指令を、予め設定される優先順位に基づいて選択される他の情報記録装置に送信するように、通信手段を制御する。これによって優先順位に従う情報記録装置に、コンテンツ情報を記録させることができる。
【００３３】
さらに本発明は、通信手段は、複数の通信端末装置と通信可能であり、
制御手段は、通信手段を介して端末装置からの記録指令を受信すると、前記記録許容時間および前記記録時間とに基づいて、記録許容時間内にコンテンツ情報を記録することができるか否かを判断し、記録することができない場合、前記記録指令を他の通信端末装置に送信するように、通信手段を制御することを特徴とする。
【００３４】
本発明に従えば、制御手段は、通信手段によって記録指令を受信すると、前記記録許容時間および前記記録時間とに基づいて、コンテンツ情報を提供終了時刻までの記録することができない場合、前記記録指令を他の通信端末装置に送信するように、通信手段を制御する。これによって記録指令は、他の通信端末装置によって報知させることができる。記録指令が他の通信端末装置によって報知されることによって、他の操作者が記録指令に基づいて、情報記録装置を直接操作するなどして、コンテンツ情報の記録を促すことができる。
【００３５】
さらに本発明は、制御手段は、通信手段によって記録指令を受信すると、記録指令に基づくコンテンツ情報を記録するか否かを確認する記録確認情報を通信端末装置に送信するように、通信手段を制御することを特徴とする。
【００３６】
本発明に従えば、制御手段は、通信手段によって記録指令を受信すると、記録指令に基づくコンテンツ情報を記録するか否かを確認する記録確認情報を通信端末装置に送信するように、通信手段を制御する。したがって操作者は、通信端末装置で、記録指令に基づいてコンテンツ情報を記録するか否かを確認することができる。
【００３７】
さらに本発明は、前記記録確認情報は、記録指令に基づくコンテンツ情報を含むこと特徴とする。
【００３８】
本発明に従えば、前記記録確認情報は、記録指令に基づくコンテンツ情報を含むので、操作者は情報記録装置が記録するコンテンツ情報を、通信端末装置によって確認することができる。
【００３９】
さらに本発明は、前記記録確認情報に含まれるコンテンツ情報は、ダイジェスト情報であることを特徴とする。
【００４０】
本発明に従えば、前記記録確認情報に含まれるコンテンツ情報は、ダイジェスト情報であるので、ダイジェスト情報は、コンテンツ情報の一部なので、記録されたコンテンツ情報よりも情報量を小さくすることができる。
【発明の効果】
【００４１】
本発明によれば、操作者は、現在取得しているコンテンツ情報と同一のコンテンツ情報を、遠隔地にある情報記録装置に記録させることができる。これによって操作者は、取得しているコンテンツ情報を、なんらかの事情で端末装置によって視聴することが困難な状況になったとしても、簡単な操作で、情報記録装置に記録させることができる。したがって操作者は、視聴中のコンテンツ情報を見逃すことを防ぐことができ、利便性が向上する。
【００４２】
また本発明によれば、操作者は、所望の情報記録装置に、コンテンツ情報を記録させることができる。これによって操作者は、記録するコンテンツ情報の管理が容易となり、利便性が向上する。
【００４３】
さらに本発明によれば、操作者は、端末装置を用いて遠隔地にある情報記録装置の記録動作を停止することができる。したがって操作者は、不要なコンテンツ情報を記録することを防ぐことができ、情報記録装置の記録容量を有効利用することができる。
【００４４】
さらに本発明によれば、操作者は、記録の停止をさせる動作を、記録指令を与えるときにすることができるので、操作を簡便にすることができる。これによって利便性が向上する。
【００４５】
さらに本発明によれば、記録手段が記録指令に基づくコンテンツ情報を記録することができる。したがって操作者は、端末装置から記録指令を送ることによって、情報記録装置にて所望のコンテンツ情報を記録することができる。
【００４６】
さらに本発明によれば、記録指令によって指定されたコンテンツ情報を、いわば自動的に提供終了時刻まで記録することができる。これによって操作者は、端末装置によって記録状態を停止させる動作をすることなく、確実に、コンテンツ情報を提供終了時刻まで記録することができる。したがって操作者は、不要なコンテンツ情報を記録することを防ぐことができ、情報記録装置の記録容量を有効利用することができる。
【００４７】
さらに本発明によれば、記録モードを選択することによって、コンテンツ情報を提供終了時刻まで可及的に記録することができる。したがって記録許容時間が少ない場合であっても、コンテンツ情報を記録途中に、記録容量不足によって記録が停止されることを防ぐことができ、記録に不具合が生じることを防ぐことができる。
【００４８】
さらに本発明によれば、記録許容時間が少いことによって、コンテンツ情報を記録途中に、記録容量不足によって記録が停止される場合であっても、他のコンテンツ情報を削除することによって、記録に必要な記録容量を確保することができる。したがって許容記録時間が不足していることによって、記録が停止することを防ぐことができ、記録に不具合が生じることを防ぐことができる。
【００４９】
さらに本発明によれば、操作者は、報知される記録の可否を示す情報に基づいて、情報記録装置の記録手段の状態を把握することができる。これによって操作者は、前記情報に基づいて、記録すべきコンテンツ情報を選択するなど、各種操作を適宜選択することができる。
【００５０】
さらに本発明によれば、記録指令が送られる他の情報記録装置によって、コンテンツ情報が記録される。したがって記録手段の状態で記録ができない場合であっても、いわば自動的に他の情報記録装置に記録指令が送られるので、記録が阻止されることを可及的に防ぐことができる。
【００５１】
さらに本発明によれば、優先順位に従う情報記録装置に、コンテンツ情報を記録させることができる。したがって操作者は、優先順位を、たとえば記録性能の順位に基づいて予め設定することによって、記録性能が優れる情報記録装置に優先して記録指令を送信することができ、コンテンツ情報を好適に記録させることができる。
【００５２】
さらに本発明によれば、記録指令は、他の端末装置によって報知させることができる。記録指令が他の端末装置によって報知されることによって、他の操作者が記録指令に基づいて、情報記録装置を直接操作するなどして、コンテンツ情報を記録することができる。したがって記録指令を送信可能な情報記録装置だけでなく、他の情報記録装置によるコンテンツ情報を記録を、他の操作者に促すことができ、操作者がコンテンツ情報を見逃すことを防ぐことができる。
【００５３】
さらに本発明によれば、操作者は、端末装置で、記録指令に基づいてコンテンツ情報を記録するか否かを確認することができる。操作者は、端末装置を用いて、情報記録装置を直接操作できない遠隔地であっても、記録指令に基づいて情報記録装置が動作しているかを確認することができ、情報記録装置の誤作動、記録指令の情報記録装置における未受信を防ぐことができ、安心して遠隔操作することができる。
【００５４】
さらに本発明によれば、記録すべきコンテンツ情報を間違うことを防ぐことができ、確実性を得ることができる。
【００５５】
さらに本発明によれば、ダイジェスト情報は、コンテンツ情報の一部なので、記録されたコンテンツ情報よりも情報量を小さくすることができる。これによってより短時間で、コンテンツ情報の記録状況を通信端末装置に送信することができる。
【発明を実施するための最良の形態】
【００５６】
以下、図面を参照しながら本発明を実施するための形態を、複数の形態について説明する。各形態で先行する形態で説明している事項に対応している部分には同一の参照符を付し、重複する説明を略する場合がある。構成の一部のみを説明している場合、構成の他の部分は、先行して説明している形態と同様とする。実施の各形態で具体的に説明している部分の組合せばかりではなく、特に組合せに支障が生じなければ、実施の形態同士を部分的に組合せることも可能である。各フローチャートの開始条件は、記載した開始条件だけに必ずしも限定されるものではない。
【００５７】
図１は、本発明の実施の第１の形態の情報記録装置１と通信端末装置２０とのシステム構成を示すブロック図である。図２は、情報記録装置１と通信端末装置２０とを簡略化して示す図である。情報記録装置１は、外部、たとえば放送局から提供されるコンテンツ情報を取得して記録でき、また通信端末装置２０と通信可能である。なお本実施の形態では情報記録装置１は、屋内１００に設けられるビデオテープレコーダ（Video Tape
Recorder：略称ＶＴＲ）によって実現される。通信端末装置２０は、端末装置であって、通信回線を介して情報記録装置１と通信可能に構成され、本実施の形態では車１０１に設けられる車載端末装置によって実現される。
【００５８】
先ず、情報記録装置１に関して説明し、次に、通信端末装置２０に関して説明する。情報記録装置１は、通信端末装置２０と通信する通信部２、情報を表示する表示部３、情報を記録および再生する記録再生部４、操作者が入力操作するための操作入力部５、コンテンツ情報を取得するコンテンツ情報取得部６、時刻を計時するタイマ管理部７、ダイジェスト情報を作成するダイジェスト情報作成部８、他の装置、たとえばテレビと情報を入出力する入出力部９、ビデオテープ（以下、「テープ」ということがある）の状態を検出するテープ状態検出部１０、ビデオテープを動作させるテープ管理部１１、および各部を制御するシステム制御部１２を含んで構成される。
【００５９】
通信部２は、操作者の持つ通信端末装置２０、および他の通信端末装置と通信するもので、たとえば無線電話機などによって実現される。通信部２は、システム制御部１２から通信端末装置２０に送信するように指示された情報を、通信端末装置２０に送信し、通信端末装置２０から与えられる情報および指令をシステム制御部１２に与える。
【００６０】
コンテンツ情報取得部６は、外部から提供されるコンテンツ情報を取得するもので、放送局からのテレビジョン放送電波を受信し、つまりコンテンツ情報である番組を取得する。コンテンツ情報取得部６は、取得したコンテンツ情報をシステム制御部１２に与える。またコンテンツ情報取得部６は、コンテンツ情報の提供予定を表す提供予定情報を取得する機能を有し、具体的には、コンテンツ情報の番組表を取得する機能を有する。提供予定情報は、本実施の形態では電子番組案内（Electronic Program Guide；略称：ＥＰＧ）によって得られる情報によって実現される。放送局は、ＥＰＧで表され、予め設定される提供時間枠に区切られる提供予定に従って、アナログテレビジョン放送電波を送信することによって、番組を提供する。ＥＰＧは、放送局からの放送波における映像信号の垂直帰線区間（Vertical Blanking Interval ；略称：ＶＢＩ）に重畳して、放送局から送信される。ＥＰＧは、コンテンツ情報取得部６によって、映像信号のＶＢＩからＥＰＧが抽出され、抽出されたＥＰＧは、システム制御部１２に与えられる。ＥＰＧは、搬送波周波数に対応する各チャンネル毎に、各提供時間枠で提供される番組のタイトル、ジャンル、出演者名などのキーワードを含むインデックスを有する。
【００６１】
操作入力部５は、操作者がコンテンツ情報の取得、記録および再生の予約などを行うために操作するもので、押釦スイッチなどによって実現される。操作入力部５は、操作者によって各種入力情報が入力可能になっている。各種入力情報は操作入力部５からシステム制御部１２に与えられる。
【００６２】
記録再生部４は、コンテンツ情報の記録再生を行うもので、ビデオテープにコンテンツ情報を記録し、ビデオテープに記録されるコンテンツ情報を再生する。そして記録再生部４は、システム制御部１２によってその動作が制御される。また記録再生部４は、単位時間当たりの記録容量を選択可能であり、本実施の形態では、標準モードで記録するか、３倍モードで記録するかを選択可能である。
【００６３】
表示部３は、記録再生部４から与えられる、装置の動作状況などを表示するもので、液晶表示装置などで構成される。タイマ管理部７は、時刻計時を行い、現在時刻のデータをシステム制御部１２に与える。
【００６４】
ダイジェスト情報作成部８は、システム制御部１２から与えられるコンテンツ情報から情報を選択抽出してダイジェスト情報を作成し、作成したダイジェスト情報をシステム制御部１２に与える。ダイジェスト情報は、たとえば記憶されているコンテンツ情報から不要な情報、たとえばコマーシャルおよびコンテンツ情報の内容の宣伝など情報を除いたり、一定間隔毎の静止画像をつなぎ合せたり、１つのコンテンツ情報の終了に近い部分、換言すると、コンテンツ情報の特徴がある場合が多い部分を抽出したりして作成する。
【００６５】
入出力部９は、他の装置、たとえばテレビと情報を入出力し、たとえば再生したコンテンツ情報をテレビに与える。また入出力部９は、インターネットなどに接続され、インターネットで取得する情報をシステム制御部１２に与える。さらに入出力部９は、他の情報記録装置として機能するパーソナルコンピュータ（Personal Computer：略称ＰＣ）１０２と通信可能に構成される。
【００６６】
テープ状態検出部１０は、ビデオテープの挿入状態、およびテープの記録を許容できる記録許容時間を検出し、検出した情報をシステム制御部１２に与える。テープ管理部１１は、システム制御部１２によって制御され、テープを動作させて、たとえば早送り、巻き戻しおよび頭出しなどに動作を行う。
【００６７】
システム制御部１２は、情報記録装置１の各構成部がそれぞれ所定の機能を実現するように、タイマー管理部７から与えられる時刻情報などのデータを入力し、また入力データおよび記録されたデータに基づきデータ処理を行って、各構成部に制御指令を与えて制御し、マイクロコンピュータによって実現される。システム制御部１２の行う主な制御には、次のようなものがある。
【００６８】
（ａ）通信端末装置２０によって規定されるコンテンツ情報を記録させる記録指令を、記録再生部４に送る。記録再生部４は、記録指令が与えられると、記録指令に基づく番組を記録する。
【００６９】
（ｂ）ＥＰＧに基づいて、コンテンツ情報を提供終了時刻まで記録するように、記録再生部４を制御する。
【００７０】
（ｃ）通信部２によって記録指令を受信すると、記録許容時間および記録指令に基づくコンテンツ情報の提供終了時刻までの記録時間に基づいて、記録モードを標準モードにするか、３倍モードにするかを設定するように、記録再生部４を制御する。
【００７１】
（ｄ）通信部２によって記録指令を受信すると、ビデオテープの記録許容時間およびコンテンツ情報の記録時間に基づいて、記録再生部４に記録される他のコンテンツ情報を削除する。本実施の形態では、コンテンツ情報を削除するために、システム制御部１２は、テープを巻き戻して、記録許容時間を増やすように、テープ管理部１１を制御する。
【００７２】
（ｅ）通信部２によって記録指令を受信すると、前記記録許容時間と前記記録時間とを比較し、比較結果を表す比較情報を、通信端末装置２０に送信するように、通信部２を制御する。比較情報は、たとえば単に記録許容時間と記録時間とを示す情報であってもよいし、記録許容時間の過不足を示す情報であってもよく、また複数の記録モードにおける記録許容時間と記録時間とを比較した情報であってもよい。
【００７３】
（ｆ）通信部２によって記録指令を受信すると、前記記録許容時間および前記記録時間とを比較し、コンテンツ情報を提供終了時刻までの記録が阻止される場合、前記記録指令を他の情報記録装置、本実施の形態ではＰＣ１０２に送信するよう、入出力部９を制御する。
【００７４】
（ｇ）通信部２によって記録指令を受信すると、前記記録許容時間および前記記録時間とを比較し、コンテンツ情報を提供終了時刻までの記録が阻止される場合、前記記録指令を他の通信端末装置に送信するように、通信部２を制御する。
【００７５】
（ｈ）通信部２によって記録指令を受信すると、記録指令に基づくコンテンツ情報を記録するか否かを確認する記録確認情報を通信端末装置２０に送信するように、通信部２を制御する。この記録確認情報は、たとえば記録指令の内容であってもよいし、記録指令の受信時におけるコンテンツ情報であってもよいし、ダイジェスト情報であってもよく、記録確認情報の内容は、操作者によって任意に選択するように構成してもよい。
【００７６】
（ｉ）情報記録装置１で記録状態にある場合、通信部２によってコンテンツ情報の記録を停止する停止指令を受信すると、停止指令に基づいて、コンテンツ情報の記録を停止するように、記録再生部４を制御する。
【００７７】
次に通信端末装置２０に関して説明する。通信端末装置２０は、情報記録装置１の通信部２と通信する端末通信部２１、情報を表示する端末表示部２２、操作者が入力操作するための端末操作入力部２３、コンテンツ情報を取得する端末コンテンツ情報取得部２４、および各部を制御する端末制御部２５を含む。
【００７８】
端末通信部２１は、情報記録装置１の通信部２と各種情報のやりとりを行うもので、通信部２と通信可能な方式の通信端末で構成される。つまり端末通信部２１は、端末制御部２５から情報記録装置１に送信するように指示された情報および指令を、情報記録装置１に送信し、情報記録装置１から与えられる情報および指令を端末制御部２５に与える。
【００７９】
端末コンテンツ情報取得部２４は、外部から提供されるコンテンツ情報を取得するもので、放送局からのテレビジョン放送電波を受信し、つまりコンテンツ情報である番組を取得する。端末コンテンツ情報取得部２４は、取得したコンテンツ情報を端末制御部２５に与える。
【００８０】
端末表示部２２は、たとえば端末制御部２５から与えられるコンテンツ情報、および記録確認情報などの各種情報を表示するもので、液晶表示器などで構成される。
【００８１】
端末操作入力部２３は、操作者が入力操作を行うもので、押釦スイッチなどで構成される。そして操作入力部５によって入力された各種入力情報を端末制御部２５に与える。端末操作入力部２３は、操作手段であって、情報記録装置１の記録動作を指令する記録指令および停止指令を入力することができ、たとえば操作者の操作によって記録指令が入力されると、入力された記録指令が端末操作入力部２３から端末制御部２５に与えられる。
【００８２】
端末制御部２５は、通信端末装置２０の各部の制御を行うもので、マイクロコンピュータによって実現される。主な処理として次のような処理がある。
【００８３】
（Ａ）端末通信部２１から記録確認情報が与えられると、記録確認情報を端末表示部２２に表示する。
【００８４】
（Ｂ）端末コンテンツ情報取得部２４によって取得されるコンテンツ情報と同一のコンテンツ情報を情報記録装置１に記録させる記録指令を、端末通信部２１を介して、情報記録装置１に送る。
【００８５】
（Ｃ）情報記録装置１で記録動作にあるコンテンツ情報の記録の停止指令を、端末通信部２１を介して、情報記録装置１に送る。この停止指令は、予め設定される記録停止時刻に記録を停止する指令であってもよい。
【００８６】
次に、通信端末装置２０の端末表示部２２に表示される情報に関して説明する。図３は、端末表示部２２に表示される記録メニューＭ１を示す図である。操作者は、端末操作入力部２３を操作して、所望の番組を端末表示部２２に表示させる。端末表示部２２で番組を表示している状態で、操作者は、端末操作入力部２３を操作して、記録メニューＭ１を表示させる。
【００８７】
記録メニューＭ１は、選択項目を表示する選択項目表示領域Ａ１を有する。選択項目表示領域Ａ１には、実行Ｂ１および中止Ｂ２を含む選択項目が表示される。端末表示部２２に記録メニューＭ１が表示されているとき、操作者が端末操作入力部２３を操作することによって、選択項目表示領域Ａ１に表示されている選択項目を選択し、決定すると、各選択項目に関連付けされる情報が、端末制御部２５に与えられる。
【００８８】
操作者が、端末操作入力部２３を操作して、実行Ｂ１を選択し、決定すると、端末制御部２５は、端末表示部２２が表示している番組の記録を指令する記録指令を、情報記録装置１に送信するように、端末通信部２１を制御する。また操作者が、端末操作入力部２３を操作して、中止Ｂ２を選択し、決定すると、記録メニューＭ１の表示を終了する。
【００８９】
次に、情報記録装置１および通信端末装置２０の動作についてフローチャートを用いて説明する。各フローチャートの動作は、システム制御部１２または端末制御部２５によって行われる。
【００９０】
図４は、情報記録装置１のシステム制御部１２による記録処理を示すフローチャートである。この処理は、本情報記録装置１の電源投入状態において、他の処理と共に繰り返し実行される。
【００９１】
ステップａ１では、通信端末装置２０からの新たな記録指令を受信したか否かを判定し、受信している場合、ステップａ２に進み、受信していない場合、処理を終了する。ステップａ２では、テープ状態検出部１０からテープ残量などのテープの状態を検出し、ステップａ３に進む。
【００９２】
ステップａ３は、テープが挿入されているか否かを判断し、テープが挿入されている場合、ステップａ４に進み、テープが挿入されていない場合、ステップａ１３に進む。ステップａ４では、記録指令に基づく番組の提供終了時刻をＥＰＧから取得して、ステップａ５に進む。ステップａ５では、タイマ管理部７から与えられる現在の時刻情報と、番組の提供終了時刻に基づいて、番組記録に要する記録時間を算出し、ステップａ６に進む。たとえば現在時刻がＰＭ９時１５分であり、提供終了時刻がＰＭ９時５４分である場合、記録時間は３９分と算出される。
【００９３】
ステップａ６では、テープの記録残量と記録時間とに基づいて標準モードで記録可能であるか否かを判断し、記録可能である場合、ステップａ７に進み、テープの記録残量が不足して番組を提供終了時刻まで記録することができない場合、ステップａ１０に進む。ステップａ７では、記録モードを標準モードに設定し、ステップａ８に進む。
【００９４】
ステップａ１０では、標準モードで記録できない場合、記録モードを３倍モードに設定して、ステップａ１１に進む。ステップａ１１では、テープの記録残量と記録時間とに基づいて、番組を３倍モードで記録可能であるか否かを判断し、記録可能である場合、ステップａ８に進み、記録することができない場合、ステップａ１２に移る。
【００９５】
ステップａ１２では、テープの残量が不足している場合にテープを巻き戻して、新たな番組を記録してもよい設定であるか否かを判断し、巻き戻し可の場合、テープを巻き戻してステップａ８に進み、巻き戻し不可の場合、ステップａ１３に進む。
【００９６】
ステップａ８では、番組を提供終了時刻まで記録することができるので、記録指令に基づく番組の記録を開始して、ステップａ９に進む。ステップａ９では、記録指令に基づいて記録を開始したことを示す記録確認情報を通信部２から通信端末装置２０に送信し、その後本処理を終了する。
【００９７】
ステップａ１３では、記録指令に基づいて記録することができないテープの状態であるので、テープ状態に基づく情報を通信部２から通信端末装置２０に送信し、ステップａ１４に進む。ステップａ１４では、記録指令を他の情報記録装置に送信するように、通信部２を制御し、本処理を終了する。
【００９８】
このようにシステム制御部１２は、記録指令を受信すると、ビデオテープの記録許容時間に基づいて、記録モードを設定して、番組を提供終了時刻まで記録するように、各部を制御する。
【００９９】
次に、図４で説明したフローチャートに関連して、通信端末装置２０の端末表示部２２に表示される情報に関して説明する。図５は、端末表示部２２に表示される確認メニューＭ２を示す図である。端末制御部２５は、ステップａ９で説明した記録確認情報が、端末通信部２１によって受信されると、確認メニューＭ２を表示するように、端末表示部２２を制御する。これによって確認メニューＭ２が端末表示部２２に表示される。
【０１００】
確認メニューＭ２は、記録確認情報を表示する項目表示領域Ａ２、および選択項目を表示する選択項目表示領域Ａ３を有する。項目表示領域Ａ２には、記録終了時刻およびチャンネルが表示される。選択項目表示領域Ａ３には、実行Ｂ３および中止Ｂ４を含む選択項目が表示される。
【０１０１】
端末表示部２２に確認メニューＭ２が表示されているとき、操作者が端末操作入力部２３を操作することによって、選択項目表示領域Ａ３に表示されている選択項目を選択し、決定すると、各選択項目に関連付けされる情報が、端末制御部２５に与えられる。
【０１０２】
操作者が、端末操作入力部２３を操作して、実行Ｂ３を選択し、決定すると、情報記録装置１は、通信端末装置２０から送信される記録指令に基づいて、コンテンツ情報を記録する。操作者が、端末操作入力部２３を操作して、中止Ｂ３を選択し、決定すると、端末制御部２５は、記録を中止する記録中止指令を、情報記録装置１に送信して、記録を中止する。また操作者が、なんらかの事情で、端末操作入力部２３を操作できない場合があるので、確認メニューＭ２が表示されてから、予め定める時間、たとえば３分、操作入力部１３が操作されずに経過すると、了承したとみなして記録を実行するようにしてもよい。
【０１０３】
以上説明したように、本実施の形態の通信端末装置２０では、図３に関連して述べたように、端末コンテンツ情報取得部２４によって取得されるコンテンツ情報と同一のコンテンツ情報を情報記録装置に記録させる記録指令を、端末通信部２１を介して、情報記録装置１に送るように、端末制御部２５によって制御することができる。情報記録装置１のシステム制御部１２は、前記通信端末装置２０によって規定される記録指令を、通信部２によって受信すると、受信した記録指令を記録再生部４に送ることによって、記録再生部４が記録指令に基づくコンテンツ情報を記録することができる。
【０１０４】
したがって操作者は、現在取得しているコンテンツ情報と同一のコンテンツ情報を、遠隔地にある情報記録装置１に記録させることができる。これによって操作者は、取得しているコンテンツ情報を、なんらかの事情で通信端末装置２０によって視聴することが困難な状況になったとしても、通信端末装置２０から記録指令を送るという簡単な操作で、情報記録装置１に記録させることができる。したがって操作者は、視聴中のコンテンツ情報を見逃すことを防ぐことができ、利便性が向上する。
【０１０５】
また本実施の形態では、端末制御部２５は、情報記録装置１で記録状態にあるコンテンツ情報の記録の停止指令を、端末通信部２１を介して、該情報記録装置１に送るので、操作者は、通信端末装置２０を用いて遠隔地にある情報記録装置１の記録状態を停止することができる。したがって操作者は、不要なコンテンツ情報を記録することを防ぐことができ、情報記録装置１の記録容量を有効利用することができる。
【０１０６】
また本実施の形態では、システム制御部１２は、ステップａ４などに関連して説明したように、コンテンツ情報取得部６で取得されるＥＰＧに基づいて、コンテンツ情報を提供終了時刻まで記録するように、記録再生部４を制御する。したがって記録再生部４は、記録指令によって指定されたコンテンツ情報を、いわば自動的に提供終了時刻まで記録することができる。これによって操作者は、通信端末装置２０によって記録状態を停止させる動作をすることなく、確実に、コンテンツ情報を提供終了時刻まで記録することができる。したがって操作者は、不要なコンテンツ情報を記録することを防ぐことができ、情報記録装置１の記録容量を有効利用することができる。
【０１０７】
また本実施の形態では、、システム制御部１２は、ステップａ６，ａ７，ａ１０，ａ１１に関連して説明したように、通信部２によって記録指令を受信すると、記録許容時間および記録指令に基づくコンテンツ情報の提供終了時刻までの記録時間に基づいて、単位時間当たりの記録容量を設定するように、記録再生部４を制御する。したがって記録再生部４は、記録モードを標準モードまたは３倍モードを選択することによって、コンテンツ情報を提供終了時刻まで可及的に記録することができる。したがって記録許容時間が少ない場合であっても、コンテンツ情報を記録途中に、記録容量不足によって記録が停止されることを防ぐことができ、記録に不具合が生じることを防ぐことができる。また記録許容時間に余裕が有る場合は、記録モードを標準モードに設定することによって、高画質でコンテンツ情報を記録することができる。
【０１０８】
また本実施の形態では、システム制御部１２は、ステップａ１２に関連して説明したように、通信部２によって記録指令を受信すると、前記記録許容時間および前記記録時間に基づいて、記録再生部４に記録される他のコンテンツ情報を削除する機能を有する。これによって記録許容時間が少いことによって、コンテンツ情報を記録途中に、記録容量不足によって記録が停止される場合であっても、他のコンテンツ情報を削除することによって、記録に必要な記録容量を確保することができる。したがって許容記録時間が不足していることによって、記録が停止することを防ぐことができ、記録に不具合が生じることを防ぐことができる。
【０１０９】
このようなコンテンツ情報を削除するか否かは、削除する必要がある毎に、通信端末装置２０を用いて、削除してよいか否かを操作者に問い合わせるように構成してもよい。また本実施の形態では、テープを巻き戻してコンテンツ情報を削除するので、記録時間が最低限確保できるようにテープの巻き戻し量を制御することによって、所望のコンテンツ情報を記録することができ、かつ既存のコンテンツ情報が削除される量を可及的に小さくすることができる。
【０１１０】
また本実施の形態では、システム制御部１２は、通信部２によって記録指令を受信すると、前記記録許容時間と前記記録時間とを比較し、比較結果を表す比較情報を、通信端末装置に送信する機能を有する。したがって比較情報を、通信端末装置によって、報知させることができ、操作者は、報知される比較情報に基づいて、情報記録装置１の記録再生部４の状態を把握することができる。これによって操作者は、比較情報に基づいて、記録すべきコンテンツ情報を選択するなど、各種操作を適宜選択することができる。
【０１１１】
また本実施の形態では、システム制御部１２は、ステップａ９および図５に関連して説明したように、通信部２によって記録指令を受信すると、記録指令に基づくコンテンツ情報を記録するか否かを確認する記録確認情報を通信端末装置２０に送信するように、通信部２を制御する。したがって操作者は、通信端末装置２０で、記録指令に基づいてコンテンツ情報を記録するか否かを確認することができる。操作者は、通信端末装置２０を用いて、情報記録装置１を直接操作できない遠隔地であっても、記録指令に基づいて情報記録装置１が動作しているかを確認することができ、情報記録装置１の誤作動、情報記録装置１における記録指令の未受信を防ぐことができ、安心して遠隔操作することができる。
【０１１２】
前記記録確認情報は、記録指令に基づくコンテンツ情報を含むようにしてもよい。これによって操作者は情報記録装置１が記録するコンテンツ情報を、通信端末装置２０によって確認することができる。したがって記録すべきコンテンツ情報を間違うことを防ぐことができ、確実性を得ることができる。また前記記録確認情報に含まれるコンテンツ情報は、ダイジェスト情報であってもよい。ダイジェスト情報は、コンテンツ情報の一部なので、記録されたコンテンツ情報よりも情報量を小さくすることができる。これによってより短時間で、コンテンツ情報の記録状況を通信端末装置２０に送信することができる。また操作者は、通信端末装置２０の端末表示部２２によって報知されるダイジェスト情報によって、記録状況を確認することができるので、より短時間で確認をすることができ、利便性が向上する。
【０１１３】
また本実施の形態では、記録確認情報は、ステップａ８の記録開始後に通信端末装置２０に送信するように制御されているが、これに限ることはなく、たとえば記録指令を受信した後に、記録確認情報を送信するようにしてもよい。
【０１１４】
また本実施の形態では、システム制御部１２は、ステップａ１４に関連して説明したように、通信部２によって記録指令を受信すると、前記記録許容時間および前記記録時間とを比較し、コンテンツ情報を提供終了時刻までの記録が阻止される場合、前記記録指令をＰＣ１０２に送信する機能を有する。これによって記録指令が送られるＰＣ１０２によって、コンテンツ情報の記録を促すことができる。したがって記録再生部４がテープの未挿入などで記録ができない場合であっても、いわば自動的にＰＣ１０２に記録指令が送られるので、記録が阻止されることを可及的に防ぐことができる。
【０１１５】
ＰＣ１０２などの他の情報記録装置が複数あり、記録指令に基づいて情報記録装置１でコンテンツ情報が記録できない場合に、他の情報記録装置に記録指令を転送できる場合は、他の情報記録装置に予め優先順位を設定し、優先順に記録指令を送信するように、構成してもよい。換言すると、システム制御部１２は、前記記録指令を、予め設定される優先順位に基づいて選択される他の情報記録装置に送信するように、通信部２を制御してもよい。これによって優先順位に従う情報記録装置に、コンテンツ情報を記録させることができる。したがって操作者は、優先順位を、たとえば記録性能の順位に基づいて予め設定することによって、記録性能が優れる情報記録装置に優先して記録指令を送信することができ、コンテンツ情報を好適に記録させることができる。また操作者は、優先順位を、たとえば記録容量の大きい順位に基づいて予め設定することによって、記録指令が送信された情報記録装置が記録を実行できる可能性を高めることができる。これによって記録指令がさらに他の情報記録装置に送信されるのを防ぐことができる。
【０１１６】
またシステム制御部１２は、通信部２によって記録指令を受信すると、前記記録許容時間および前記記録時間とを比較し、コンテンツ情報を提供終了時刻までの記録が阻止される場合、前記記録指令を、他の情報記録装置だけでなく、他の通信端末装置に送信するように、通信部２を制御してもよい。これによって記録指令は、他の通信端末装置によって報知させることができる。記録指令が他の通信端末装置によって報知されることによって、操作者の知人などの他の操作者が記録指令に基づいて、情報記録装置を直接操作するなどして、コンテンツ情報を記録を促すことができる。したがって記録指令を送信可能な情報記録装置だけでなく、操作者が直接または間接的に操作することができない他の情報記録装置にコンテンツ情報を記録してもらうように、他の操作者に報知することができる。これによって操作者がコンテンツ情報を見逃すことを防ぐことができる。
【０１１７】
次に、本発明の実施の第２の形態に関して説明する。本実施の形態は、情報記録装置１に記録指令を送信する場合、記録指令に基づく記録を記録停止時刻に停止する停止指令を併せて送信することに特徴を有する。図６は、端末表示部２２に表示される記録メニューＭ３を示す図である。操作者は、端末操作入力部２３を操作して、所望の番組を端末表示部２２に表示させる。端末表示部２２で番組を表示している状態で、操作者は、端末操作入力部２３を操作して、本実施の形態の記録メニューＭ３を表示させる。
【０１１８】
記録メニューＭ３は、記録停止時刻を設定する時刻設定表示領域Ａ４、および選択項目を表示する選択項目表示領域Ａ５を有する。時刻設定表示領域Ａ４には、記録停止時刻設定Ｂ５を含む選択項目が表示され、選択項目表示領域Ａ５には、実行Ｂ６および中止Ｂ７を含む選択項目が表示される。
【０１１９】
端末表示部２２に記録メニューＭ３が表示されているとき、操作者が端末操作入力部２３を操作して、記録停止時刻設定Ｂ５を選択し、記録停止時刻を決定する。これによって操作者は、記録停止時刻を設定することできる。次に、操作者が、端末操作入力部２３を操作して、実行Ｂ６を選択し、決定すると、端末制御部２５は、端末表示部２２が表示している番組の記録を指令する記録指令と、記録停止時刻に記録を停止する停止指令を、情報記録装置１に送信するように、端末通信部２１を制御する。また操作者が、端末操作入力部２３を操作して、中止Ｂ７を選択し、決定すると、記録メニューＭ３の表示を終了する。
【０１２０】
情報記録装置１のシステム制御部１２は、停止指令が本実施の形態のように、予め設定される記録停止時刻に記録を停止する指令である場合、タイマ管理部から与えられる時刻情報に基づいて記録停止時刻に記録を停止するように、記録再生部４を制御する。
【０１２１】
以上説明したように、本実施の形態では、前記停止指令は、予め設定される記録停止時刻に記録を停止する指令である。したがって操作者は、予め記録停止時刻を、たとえばコンテンツ情報の提供終了時刻に設定することによって、コンテンツ情報が終了すると記録を停止させることができる。これによって操作者は、記録の停止をさせる動作を、記録指令を与えるときにすることができるので、操作を簡便にすることができる。これによって利便性が向上する。
【０１２２】
たとえば記録停止時刻を、操作者が自宅などで同一のコンテンツ情報を視聴できると予測される時刻に設定することで、操作者が視聴できない期間だけコンテンツ情報を記録することができ、情報記録装置１の記録容量を有効に用いることができる。また記録停止時刻を設定することによって、操作者が所望する番組の一部分だけ、たとえば番組の１つのコーナーだけの記録を簡便にすることができるので、情報記録装置１の記録容量を有効に用いることができる。
【０１２３】
次に本発明の第３の実施の形態に関して説明する。本実施の形態の通信端末装置２０は、複数の情報記録装置と通信可能であり、記録指令を送信する情報記録装置を選択可能に構成されることに特徴を有する。端末通信部２１は、複数の他の情報記録装置、たとえば職場に設けられる情報記録装置、および自宅の他の情報記録装置と通信可能である。また端末操作入力部２３は、複数の情報記録装置のうち記録指令を送信する情報記録装置を選択可能であり、選択された選択指令が端末操作入力部２３から端末制御部２５に与えられる。
【０１２４】
図７は、端末制御部２５による記録指令送信処理を示すフローチャートである。この処理は、コンテンツ情報が端末表示部２２に表示されている状態で、他の処理と共に繰り返し実行される。ステップｂ１では、記録指令が、端末操作入力部２３から与えられたと判定されると、ステップｂ２に進み、与えれていないと判定されると本処理を終了する。ステップｂ２では、複数の情報記録装置のうち、１つを選択する選択指令が、端末操作入力部２３から与えられたと判定されると、ステップｂ３に進み、与えれていないと判定されると本処理を終了する。
【０１２５】
ステップｂ３では、端末通信部２１から選択された情報記録装置１に記録指令を送信し、その後本処理を終了する。このように端末制御部２５は、選択した情報記録装置１に記録指令を送信するように各部を制御する。
【０１２６】
以上説明したように、本実施の形態では、端末操作入力部２３によって、複数の情報記録装置のうち前記コンテンツ情報を記録させるべき情報記録装置を選択することができる。したがって操作者は、所望の情報記録装置に、コンテンツ情報を記録させることができる。これによって操作者は、記録するコンテンツ情報の管理が容易となり、利便性が向上する。
【０１２７】
またたとえば最初に選択した情報記録装置１がコンテンツ情報を記録することができない状態であることが記録確認情報によって判断できる場合、操作者は他の情報記録装置を選択することによって、コンテンツ情報を他の情報記録装置に記録させることができる。したがって不所望に記録が阻止されることを防ぐことができ、利便性が向上する。
【０１２８】
前述の実施の各形態では、情報記録装置１はＶＴＲによって実現されているが、これに限ることはなく、たとえばハードディスクドライブ（Hard Disk Drive：略称ＨＤＤ）レコーダーおよびデジタル多機能ディスク（Digital Versatile Disk：略称ＤＶＤ）レコーダーによって実現してもよい。ＨＤＤレコーダーでは、コンテンツ情報の削除が容易であり、また記録モードも複数選択可能であるので、より利便性が向上する。
【０１２９】
また前述の実施の各形態では、提供予定情報は放送局からのＥＰＧによって実現されているが、これに限ることはなく、たとえばインターネットを介して得られる番組表などの提供予定情報であってもよく、またデジタル放送信号に重畳されるＥＰＧであってもよい。また前述の実施の各形態では、記録モードは、標準モードと３倍モードに限定されているが、これに限ることが無く、操作者が適宜選択するように構成してもよい。
【図面の簡単な説明】
【０１３０】
【図１】本発明の実施の第１の形態の情報記録装置１と通信端末装置２０とのシステム構成を示すブロック図である。
【図２】情報記録装置１と通信端末装置２０とを簡略化して示す図である。
【図３】端末表示部２２に表示される記録メニューＭ１を示す図である。
【図４】情報記録装置１のシステム制御部１２による記録処理を示すフローチャートである。
【図５】端末表示部２２に表示される確認メニューＭ２を示す図である。
【図６】端末表示部２２に表示される記録メニューＭ３を示す図である。
【図７】端末制御部２５による記録指令送信処理を示すフローチャートである。
【符号の説明】
【０１３１】
１  情報記録装置
２  通信部
３  表示部
４  記録再生部
５  操作入力部
６  コンテンツ情報取得部
７  タイマ管理部
８  ダイジェスト情報作成部
９  入出力部
１０  テープ状態検出部
１１  テープ管理部
１２  システム制御部
２０  通信端末装置
２１  端末通信部
２２  端末表示部
２３  端末操作入力部
２４  端末コンテンツ情報取得部
２５  端末制御部
【図１】
2006287627.tif 000003
【図２】
2006287627.tif 000004
【図３】
2006287627.tif 000005
【図４】
2006287627.tif 000006
【図５】
2006287627.tif 000007
【図６】
2006287627.tif 000008
【図７】
2006287627.tif 000009